(57)【要約】  肩まわりの広範な動作を行った場合に、袖口（４ａ）の上腕への引っ掛かりを軽減することができるシャツ（１）を提供することを課題とする。  大結節（Ｂ）を覆い、かつ上腕骨外側上顆（Ｆ）を覆わない袖丈の袖部（３）を備えるシャツ（１）において、手掌を前面に向けて腕を下した状態で、峰（Ａ）と上腕骨外側上顆（Ｆ）を結ぶ線分（Ｇ）と、前腋点（Ｄ）と上腕骨内側上顆（Ｅ）を結ぶ線分（Ｈ）とによって囲まれた上腕部前面領域（Ｉ）にかかる袖口（４ａ）の少なくとも一部が、前記上腕部前面領域（Ｉ）を除く上腕部背面領域（Ｊ）にかかる袖口（４ｂ）の位置よりも肩側の近位に位置するため、肩の外転および水平内転動作時における肩の広範な動きにおいて大きく活動する上腕二頭筋、上腕三頭筋および三角筋の筋腹の袖口（４ａ）へのひっかかりが緩和され、肩まわりのつっぱりを軽減することができる。
2015037140.tif 000002
【特許請求の範囲】
【請求項１】
手掌を前面に向けて腕を下した状態で、大結節を覆い、かつ上腕骨外側上顆を覆わない袖丈の袖部を備えるシャツにおいて、手掌を前面に向けて腕を下した状態で、肩峰と上腕骨外側上顆を結ぶ線分Ｇと、前腋点と上腕骨内側上顆を結ぶ線分Ｈとによって囲まれた上腕部前面領域にかかる袖口の少なくとも一部が、前記線分Ｇと線分Ｈとによって囲まれた前記上腕部前面領域を除く上腕部背面領域にかかる袖口の位置よりも肩側の近位に位置することを特徴とするシャツ。
【請求項２】
前記上腕部前面領域の袖口に、肩側の近位に向かう凹部を有する請求項１記載のシャツ。
【請求項３】
上腕二頭筋の筋腹、上腕三頭筋の筋腹および三角筋の筋腹の少なくとも一部が露出されるように形成されている請求項１又は２記載のシャツ。
【請求項４】
前記凹部における底部の幅が、上腕骨外側上顆Ｆから上腕骨内側上顆Ｅまでの距離に対して、４０％以上の長さを有する請求項２又は３に記載のシャツ。
【請求項５】
前記凹部における袖口部分の幅が、上腕骨外側上顆Ｆから上腕骨内側上顆Ｅまでの距離に対して、４０％以上の長さを有する請求項２〜４のいずれかに記載のシャツ。
【発明の詳細な説明】
【技術分野】
【０００１】  この発明は、肩関節を大きく動かす動作を行う際に、袖部の袖口によって生じやすい引きつれを軽減し、引きつれによる違和感や窮屈さを解消することができるシャツに関するものである。また、この発明は、例えば、テニス、ハンドボール、バドミントン、卓球等の肩関節を大きく動かす動作のあるスポーツを行う際の運動用シャツとして特に好ましく用いられる。
【背景技術】
【０００２】  肩の動きには人体で最も可動性の高い肩関節を含む５つの関節が関与しており、解剖学的に大きな自由度を持つ。そのため、あらゆるスポーツにおいて肩は広範な動作を行う。特に、テニスなどではストロークのような水平の動きとサーブのような上下の動きがあり、その動作は広範囲に及ぶ。【０００３】  袖部のあるシャツを着用して肩まわりの広範な動作を行った場合、袖部の上腕への引っ掛かりによって、肩まわりのつっぱり（生地張力）による違和感や窮屈さを訴える選手が多い。【０００４】  従来、シャツの中には、高伸縮性素材を袖部と身頃部との間に配置し、肩まわりのつっぱり緩和を狙ったものもある（特許文献１）。
【先行技術文献】
【特許文献】
【０００５】  特許文献１：特開平１１−６１５３０号公報
【発明の概要】
【発明が解決しようとする課題】
【０００６】  ところが、高伸縮性素材を袖部と身頃部との間に配置する従来の技術では、袖部の上腕への引っかかりによって生じる肩まわりのつっぱり（生地張力）を軽減するに留まり、上腕への袖口の引っかかりという根本的な問題の解決には至っていない。【０００７】  さらに、実際の競技場面で想定される汗によって濡れた状態においては、生地と皮膚との摩擦が強まり、袖口の上腕への引っかかりがより強くなることが推察される。したがって、肩まわりのつっぱりを抑え肩の広範な動作をスムーズに行うためには、袖口の上腕への引っかかりという根本的な問題を解決することが重要になる。【０００８】  一方、上腕の引っかかりが生じないように、袖なしシャツや袖の短いシャツを使用することも考えられる。【０００９】  しかしながら、これらのシャツでは太陽光による疲労、発汗による不快感への対処が不十分となる。加えて、シルエットとして肩を露出することにためらいを感じる人も少なくない。【００１０】  このため、袖部を有するシャツの袖丈は、手掌を前面に向けて腕を下した際に、大結節を覆い、かつ上腕骨外側上顆を覆わない長さが主流となっている。【００１１】  また、競技規則において、「シャツは袖付き半袖シャツを着用すること」と定められ、袖なしのシャツを着用できない場合もある。【００１２】  そこで、この発明は、肩まわりの広範な動作を行った場合に、袖口の上腕への引っ掛かりを軽減することができるシャツを提供しようとするものである。
【課題を解決するための手段】
【００１３】  この発明は、上記の課題を解決するために、手掌を前面に向けて腕を下した状態で、大結節を覆い、かつ上腕骨外側上顆を覆わない袖丈の袖部を備えるシャツにおいて、手掌を前面に向けて腕を下した状態で、肩峰と上腕骨外側上顆を結ぶ線分Ｇと、前腋点と上腕骨内側上顆を結ぶ線分Ｈとによって囲まれた上腕部前面領域にかかる袖口の少なくとも一部が、前記上腕部前面領域を除く上腕部背面領域にかかる袖口の位置よりも肩側の近位に位置することを特徴とする。【００１４】  上腕部前面領域にかかる袖口の少なくとも一部を、上腕部前面領域を除く上腕部背面領域にかかる袖口の位置よりも肩側の近位に位置させるには、例えば、上腕部前面領域にかかる袖口に肩側の近位に向かう凹部を形成すればよい。
【発明の効果】
【００１５】  この発明に係るシャツは、手掌を前面に向けて腕を下した状態で、上腕部前面領域にかかる袖口の少なくとも一部が、上腕部背面領域にかかる袖口の位置よりも肩側の近位に位置するため、肩の外転および水平内転動作時における肩の広範な動きにおいて大きく活動する上腕二頭筋、上腕三頭筋および三角筋の筋腹（筋の中央部）の袖口へのひっかかりが緩和され、肩まわりのつっぱりを軽減することができる。【００１６】  したがって、この発明に係るシャツは、肩の広範な動きがあっても袖部の袖口の上腕へのひっかかりが緩和されるので、テニスをはじめ、ハンドボールあるいはバドミントンなどといった肩の水平および上下の動作が頻出する競技において、特に有用である。【００１７】  この効果は、汗によって生地が水分を含んだ際にも発現する。
【図面の簡単な説明】
【００１８】
【図１】この発明の実施形態１のシャツの正面図である。
【図２】この発明の実施形態１のシャツの背面図である。
【図３】この発明の実施形態２のシャツの正面図である。
【図４】この発明の実施形態３のシャツの正面図である。
【図５】この発明の実施形態４のシャツの正面図である。
【図６】この発明の実施形態５のシャツの正面図である。
【図７】効果確認試験の状態を示す平面図である。
【図８】効果確認試験の状態を示す正面図である。
【図９】（ａ）は肩の外転動作を行った効果確認試験の結果を示すグラフであり、（ｂ）は水平内転動作を行った結果を示すグラフである。
【発明を実施するための形態】
【００１９】  以下、この発明に係るシャツの実施形態を説明する。なお、以下の実施形態において、同一の構成部分または同様の構成部分には、同一の符号を付し、説明を適宜省略する。
【００２０】  図１及び図２に示す実施形態１のシャツ１は、身頃部２と筒状の袖部３とからなる。
【００２１】  実施形態１のシャツ１の袖部３は、セットインタイプのものを例示しているが、ラグランタイプのもの等でもよい。
【００２２】  この発明に係るシャツ１を着用する着用者の部位は、次のように定義される。  ・肩峰Ａは、肩の最も上部にある突起をいう。  ・大結節Ｂは、肩の側部にある上腕骨Ｃの上部の突起をいう。  ・前腋点Ｄは、上肢の付け根のうち、前面に位置する部位をいう。  ・上腕骨内側上顆Ｅは、手掌を前面に向けて腕を下ろした際、上腕骨Ｃの遠位端の内側に位置する突起をいう。  ・上腕骨外側上顆Ｆは、手掌を前面に向けて腕を下ろした際、上腕骨Ｃの遠位端の外側に位置する突起をいう。  ・線分Ｇは、肩峰Ａと上腕骨外側上顆Ｆを結ぶ線分をいう。  ・線分Ｈは、前腋点Ｄと上腕骨内側上顆Ｅを結ぶ線分をいう。  ・上腕部前面領域Ｉは、上腕部の線分Ｇと線分Ｈによって囲まれた領域のうち、手掌を前面に向けて腕を下ろした際に前面に位置する領域をいう。なお、この上腕部前面領域Ｉは、図１、図３、図４、図５、図６の各実施形態において、薄墨で示している。  ・上腕部背面領域Ｊは、上腕部の上腕部前面領域Ｉ以外の領域をいう。
【００２３】  この発明に係るシャツ１の袖部３は、手掌を前面に向けて腕を下した状態で、大結節Ｂを覆い、かつ上腕骨外側上顆Ｆを覆わない長さの袖丈であり、肩峰Ａと上腕骨外側上顆Ｆを結ぶ線分Ｇと、前腋点Ｄと上腕骨内側上顆Ｅを結ぶ線分Ｈとによって囲まれた上腕部前面領域Ｉにかかる袖口４ａの少なくとも一部が、前記線分Ｇと線分Ｈとによって囲まれた前記上腕部前面領域Ｉを除く上腕部背面領域Ｊにかかる袖口４ｂの位置よりも肩側の近位に位置する。
【００２４】  この発明に係るシャツは、上腕二頭筋の筋腹、上腕三頭筋の筋腹および三角筋の筋腹の少なくとも一部が露出されるように形成されていることが好ましい。これらの筋は、肩の外転および水平内転動作時における肩の広範な動きにおいて大きく活動するが、これらの筋腹の少なくとも一部が露出されていることによって袖口へのひっかかりが緩和され、肩まわりのつっぱりを軽減することができる。
【００２５】  図１及び図２に示す実施形態１のシャツ１においては、上腕部前面領域Ｉにかかる袖口４ａの少なくとも一部を、線分Ｇと線分Ｈとによって囲まれた上腕部前面領域Ｉを除く上腕部背面領域Ｊにかかる袖口４ｂの位置よりも肩側の近位に位置させるために、上腕部前面領域Ｉにかかる袖口４ａに、肩側の近位に向かう凹部４ｃを形成している。凹部４ｃの形状としては、「底部と２つの連結部（側部）とからなる形状」や「円弧状に湾曲する形状」等が挙げられる。なお、底部と連結部は、その形状を直線状や曲線状や波線状やジグザグ線状等に適宜設定することもでき、底部は、点状であってもよい。例えば、図１、図３、図４、図５、図６の各実施形態に示すもの等、適宜設定することができる。ここで、凹部４ｃは、袖口部分における上腕の周方向の長さが上腕部前面領域Ｉよりも短くなる範囲であれば上腕部背面領域Ｊに入り込んでいてもよい。また、凹部４ｃは、上腕部前面領域Ｉに複数形成されていてもよい。なお、袖口４ａと袖口４ｂは、上腕二頭筋、上腕三頭筋および三角筋の筋腹の袖口へのひっかかりの緩和を阻害しない範囲で、その形状を直線状や波線状やジグザグ線状等に適宜設定することができる。
【００２６】  凹部４ｃの形状について以下に具体的に説明する。凹部４ｃにおける底部の幅は、上腕骨外側上顆Ｆから上腕骨内側上顆Ｅまでの距離に対して、４０％以上の長さが好ましく、６０％以上の長さがより好ましく、８０％以上の長さが特に好ましい。凹部４ｃにおける底部の幅が、上腕骨外側上顆Ｆから上腕骨内側上顆Ｅまでの距離に対して４０％以上の長さであれば、肩の広範な動きにおいて大きく活動する上腕二頭筋、上腕三頭筋および三角筋の筋腹の袖口へのひっかかりが緩和されやすくなる。また、凹部４ｃにおける袖口部分の幅は、上腕骨外側上顆Ｆから上腕骨内側上顆Ｅまでの距離に対して、４０％以上の長さが好ましく、６０％以上の長さがより好ましく、８０％以上の長さが特に好ましい。凹部４ｃにおける袖口部分の幅が、上腕骨外側上顆Ｆから上腕骨内側上顆Ｅまでの距離に対して４０％以上の長さであれば、肩の広範な動きにおいて大きく活動する上腕二頭筋、上腕三頭筋、三角筋等の筋腹の袖口へのひっかかりを緩和する設計が容易になる。また、凹部４ｃにおいて、底部の幅よりも袖口部分の幅が広く、かつ上記底部と上記袖口部分との連結部を傾斜させたり曲線状にしておくことが好ましい。これにより、肩の広範な動きにおいて袖口の凹部の揺れを軽減し、上腕部前面領域の違和感を減少させることができる。ここで、凹部４ｃにおける底部および袖口部分の幅は、シャツ着用時に、体側に腕を下ろした状態で手掌を前面に向け、そこから腕を９０度上に上げた状態で、体を上側から見たときの当該部分の平面上での直線長さをいう。例えば、図１及び図２に示す実施形態１のシャツ１の袖口４ａの凹部４ｃは、広幅で直線状に屈曲している。
【００２７】  図３に示す実施形態２のシャツ１も、実施形態１と同様に、袖口４ａに直線状に屈曲する凹部４ｃを設けており、実施形態２の凹部４ｃの幅は、実施形態１の凹部４ｃの幅よりも細幅に形成されている。
【００２８】  図４に示す実施形態３のシャツ１は、袖口４ａに、底部が円弧状の凹部４ｃを設けた例である。
【００２９】  図５に示す実施形態４のシャツ１は、袖口４ａに、底部が斜めに傾斜する凹部４ｃを設けた例である。
【００３０】  図６に示す実施形態５のシャツ１は、袖口４ａに底部が斜めに傾斜する凹部４ｃを設けた例であり、この点は、図５に示す実施形態４と同様であるが、図６に示す実施形態５の凹部４ｃの幅は、図５に示す実施形態４の凹部４ｃの幅よりも細幅に形成されている。
【００３１】  この発明に係るシャツ１は、手掌を前面に向けて腕を下した状態で、上腕部前面領域Ｉにかかる袖口４ａの少なくとも一部が、上腕部背面領域Ｊにかかる袖口４ｂの位置よりも肩側の近位に位置するため、肩の外転および水平内転動作時において大きく活動する上腕二頭筋、上腕三頭筋および三角筋の筋腹が、袖口４ａにひっかからない。この効果は、汗によって生地が水分を含んだ際にも発現する。
【００３２】  したがって、この発明に係るシャツ１は、肩の広範な動きにおいて、袖部３の上腕へのひっかかりが緩和されるため、肩まわりのつっぱりを軽減することができるので、テニスをはじめ、ハンドボールあるいはバドミントンなどといった肩の水平および上下の動作が頻出する競技において特に有用である。
【００３３】  この発明のシャツ１と、袖口４ａ、４ｂに凹部を設けていない従来のシャツを着用して、肩の外転動作を行った際の肩中央部（肩峰下）および水平内転動作を行った際の肩後部のつっぱり試験を行った。
【００３４】  試験に用いたこの発明のシャツ１は、図１に示す実施形態のものを使用した。具体的な凹部４ｃの寸法は、長手方向の長さが６ｃｍ、底部の周方向の長さが７ｃｍ、袖口部分の周方向の長さが１２ｃｍである。
【００３５】  試験は、図７に示す水平内転動作および図８に示す外転動作を行わせた。なお、動作頻度はメトロノームを用い、動作を安定させるように被験者に十分教示した。
【００３６】  試験条件は、動作頻度：各３０回／分反復回数：１試技につき１０回試技数：各３試技とした。
【００３７】  試技の際の動作を光学式３次元動作分析装置(Vicon Motion Systems社製、VICON)、図７、図８に示す肩関節まわり２点（肩後部Ｊ、肩中央部（肩峰下）Ｋ）の着圧をエアパック式の接触圧測定器（エイエムアイテクノ社製、AMI 3037-10）によってそれぞれ測定した。
【００３８】  図７に示す肩関節水平内転動作および図８に示す外転動作時の一定区間における着圧の積算値を評価値として用いた。
【００３９】  測定区間は、VICONで測定した手首部のマーカーを用いて、図７に示す肩関節水平内転動作の場合は、０°から９０°の区間とし、図８に示す外転動作時の場合は、３０°から１１０°の区間とした。
【００４０】  着圧は、図７に示す水平内転動作では肩後部Ｊ、外転動作では肩中央部（肩峰下）Ｋの値を用いた。なお、着圧のサンプリング周波数は１ｋＨｚとした。
【００４１】  上記の試験結果は、図９に示す通りであり、この発明のシャツを着用した際には、上腕全体を覆う従来の袖口に比べ、肩の諸動作を行った際のつっぱりを示す評価値が減少していた。すなわち、肩の動きやすさが向上していた。なお、被験者もその効果を十分に体感していた。
【符号の説明】
【００４２】１    シャツ２    身頃部３    袖部４ａ、４ｂ    袖口
【図２】
2015037140.tif 000003
【図７】
2015037140.tif 000004
【図８】
2015037140.tif 000005
【図９】
2015037140.tif 000006
【図１】
2015037140.tif 000007
【図３】
2015037140.tif 000008
【図４】
2015037140.tif 000009
【図５】
2015037140.tif 000010
【図６】
2015037140.tif 000011
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
手掌を前面に向けて腕を下した状態で、大結節を覆い、かつ上腕骨外側上顆を覆わない袖丈の袖部を備えるシャツにおいて、手掌を前面に向けて腕を下した状態で、肩峰と上腕骨外側上顆を結ぶ線分Ｇと、前腋点と上腕骨内側上顆を結ぶ線分Ｈとによって囲まれた上腕部前面領域にかかる袖口の少なくとも一部が、前記線分Ｇと線分Ｈとによって囲まれた前記上腕部前面領域を除く上腕部背面領域にかかる袖口の位置よりも肩側の近位に位置し、前記上腕部前面領域の袖口に、肩側の近位に向かう凹部を有し、前記凹部における底部の幅が、上腕骨外側上顆Ｆから上腕骨内側上顆Ｅまでの距離に対して、４０％以上の長さを有することを特徴とするシャツ。
【請求項２】
上腕二頭筋の筋腹、上腕三頭筋の筋腹および三角筋の筋腹の少なくとも一部が露出されるように形成されている請求項１記載のシャツ。
【請求項３】
前記凹部における袖口部分の幅が、上腕骨外側上顆Ｆから上腕骨内側上顆Ｅまでの距離に対して、４０％以上の長さを有する請求項１又は２に記載のシャツ。
【国際調査報告】
2015037140.tif 000012
2015037140.tif 000013